(57)【特許請求の範囲】
【請求項１】
開口を有するライトカバー、
光束入射面と光束入射面に近接する光束射出面とを有し、光束入射面は前記開口の所に配置される導光板、
前記ライトカバーと前記導光板の間に配置され、その一つ一つが照明光束を出す複数の点光源、及び
前記導光板と前記ライトカバーの間に配置され、複数の第一光束射出口、少なくとも一つの第二光束射出口、複数の凹部、複数の第一反射素子及び少なくとも一つの第二反射素子を有し、前記各凹部はそれぞれの前記第一光束射出口に対応して設けられ、前記複数の点光源は前記複数の凹部の中に配置され、前記第二光束射出口は前記複数の第一光束射出口の間に位置しながら前記複数の第一光束射出口と近接し、前記複数の第一反射素子は前記複数の第一光束射出口と前記第二光束射出口が接する所に配置され、前記第二反射素子は前記第二光束射出口に対応して設けられ、前記第二反射素子は前記複数の凹部の間に位置する反射構造を含み、
その内、それぞれの前記照明光束の一部は前記第一光束射出口から前記光束入射面に入射し、他の一部は順次に前記第一反射素子と前記第二反射素子により反射され、前記第二光束射出口から前記光束入射面に入射し、
前記各第一反射素子は第一反射平面及び第二反射平面を有し、前記第一反射平面は前記第一光束射出口を向き、前記第二反射平面は前記第二光束射出口を向き、前記第一反射平面と前記第二反射平面が接する夾角は０度より大きく、６０度以下であることを特徴とするエッジ型バックライトモジュール。
【請求項２】
少なくとも一つの第二光束射出口は複数であることを特徴とする請求項１記載のエッジ型バックライトモジュール。
【請求項３】
導光板における光束射出面と向い合う一面に配置される反射板をさらに有することを特徴とする請求項１記載のエッジ型バックライトモジュール。
【請求項４】
前記各第一反射素子は第一反射曲面を有することを特徴とする請求項１記載のエッジ型バックライトモジュール。
【請求項５】
前記複数の第一反射素子は三角形であることを特徴とする請求項１記載のエッジ型バックライトモジュール。
【請求項６】
前記第二反射素子は第三反射平面及び第四反射平面を有し、前記第三反射平面及び第四反射平面が接する夾角の範囲は３０〜１２０度であることを特徴とする請求項１記載のエッジ型バックライトモジュール。
【請求項７】
前記第二反射素子は第二反射曲面を有することを特徴とする請求項１記載のエッジ型バックライトモジュール。
【請求項８】
前記第二反射素子は三角形であることを特徴とする請求項１記載のエッジ型バックライトモジュール。
【発明の詳細な説明】
【技術分野】
【０００１】
本発明はバックライトモジュールに関し、特にエッジ型バックライトモジュールに関する。
【背景技術】
【０００２】
図１は従来のエッジ型バックライトモジュールの断面図である。図１に示したように、エッジ型バックライトモジュール１００は複数の発光ダイオード（light emitting diode, ＬＥＤ）光源１１０、ライトカバー１２０、導光板１３０及び反射板（図示せず）を含む。導光板１３０は光束入射面１３２及び光束射出面１３４を有し、発光ダイオード光源１１０は光束入射面１３２に配置される。発光ダイオード光源１１０は照明光束Ｌ１０を出し、照明光束Ｌ１０は光束入射面１３２から導光板１３０に入射され、導光板１３０及び反射板は照明光束Ｌ１０が光束射出面１３４から射出され、導光板１３０を離れて面光源になるようにする。
【０００３】
しかしながら、発光ダイオードが直線に配列され、発光ダイオードの光源の指向性が高いため、発光ダイオード光源１１０は導光板１３０の光束入射面１３２に明縞（bright fringe）を形成し、発光ダイオード光源１１０の間における導光板１３０の光束入射面１３２には暗縞（dark fringe）を形成する。だから、光束射出面１３４から射出される照明光束Ｌ１０は不均一になる。
【発明の開示】
【発明が解決しようとする課題】
【０００４】
本発明はエッジ型バックライトモジュールを提供し、本発明のエッジ型バックライトモジュールによって射出された照明光束は均一になる。
【課題を解決するための手段】
【０００５】
本発明の他の目的と利点は、本発明に開示された技術の特徴により更に知られることができる。
前述した一又は部分又は全部の目的或いは他の目的を達成するために、本発明の実施例によるエッジ型バックライトモジュールは、ライトカバー、導光板、複数の点光源及び反射構造を含む。ライトカバーは開口を有する。導光板は光束入射面と光束入射面に近接する光束射出面とを有し、光束入射面は開口の所に配置される。点光源はライトカバーと導光板の間に配置され、各点光源は照明光束を出す。反射構造は導光板とライトカバーの間に配置され、反射構造は複数の第一光束射出口、少なくとも一つの第二光束射出口、複数の凹部、複数の第一反射素子及び少なくとも一つの第二反射素子を有し、各凹部はそれぞれ各第一光束射出口に対応して設けられ、点光源は凹部の中に配置され、第二光束射出口は第一光束射出口の間に位置しながら第一光束射出口と近接し、第一反射素子は第一光束射出口と第二光束射出口が接する所に配置され、第二反射素子は第二光束射出口に対応して設けられ、第二反射素子は複数の凹部の間に位置する。それぞれの照明光束の一部は第一光束射出口から光束入射面に入射し、他の一部は順次に第一反射素子と第二反射素子により反射され、第二光束射出口から光束入射面に入射する。
【０００６】
本発明の実施例において、前記少なくとも一つの第二光束射出口は複数である。前記反射構造は反射板をさらに有し、反射板は導光板における光束射出面と向い合う一面に配置される。
【０００７】
本発明の実施例において、前記各第一反射素子は第一反射平面及び第二反射平面を有し、第一反射平面は第一光束射出口を向き、第二反射平面は第二光束射出口を向き、第一反射平面と第二反射平面とが接する夾角は０度より大きく、６０度以下であり、第一反射素子は三角形である。また、第一反射素子は第一反射曲面を有する。
【０００８】
本発明の実施例において、前記第二反射素子は第三反射平面及び第四反射平面を有し、第三反射平面と第四反射平面とが接する夾角の範囲は３０〜１２０度であり、第二反射素子は三角形である。また、第二反射素子は第二反射曲面を有する。
【０００９】
本発明の上述の実施例は点光源と導光板の間に反射構造を設け、反射構造の第一反射素子及び第二反射素子によって点光源が出す照明光束を調整するため、導光板上の暗部を低減し、点光源から導光板に射出される際の光漏れを避け、照明光束が均一に導光板の光束入射面に入射して、導光板の射出面から射出される照明光束の均一性を高める。
【００１０】
本発明の上述の特徴及び利点をより明確で分かりやすくするため、以下に一つ（又は複数）の実施例を挙げ、図面を参照しながら詳細に説明する。
【発明を実施するための最良の形態】
【００１１】
次に、添付した図面を参照しながら、本発明の好適な実施形態を詳細に説明し、これにより、本発明の前述の技術と他の技術、特徴及び利点が、より容易に理解できる。
以下の各実施例に対する説明は、添付された図面を参照しながら、本発明が実施される特定の実施例を例示するものである。本発明で記載された用語、例えば「上」、「下」、「前」、「後」、「左」、「右」等は単に図面における方向を参照したものに過ぎない。従って、用いられた方向用語は本発明を説明するためのものであり、本発明を限定するものではない。
【００１２】
図２は本発明の実施例によるエッジ型バックライトモジュールの断面図であり、図３は図２に示された反射構造の斜視図であり、図４は図２に示された反射構造を他の角度から見た斜視図であり、図５は図２に示された反射構造の断面図である。図２、図３、図４及び図５を参照すると、エッジ型バックライトモジュール２００は、複数の点光源２１０（図面には一つだけ示されている）、ライトカバー２２０、反射構造２３０及び導光板２４０を含む。点光源２１０は例えば発光ダイオードであり、各点光源２１０は照明光束Ｌ１０を出し、複数の点光源２１０及び反射構造２３０はライトカバー２２０と導光板２４０の間に配置される。ライトカバー２２０は開口２２２を有し、導光板２４０は光束入射面２４２及び光束射出面２４４を有し、光束入射面２４２と光束射出面２４４は近接し、光束入射面２４２は開口２２２に配置され、反射構造２３０は光束入射面２４２に配置される。
【００１３】
また、反射構造２３０は複数の第一光束射出口２３０’、少なくとも一つの第二光束射出口２３０”(本実施例では複数の第二光束射出口２３０”とする)、複数の第一反射素子２３２、少なくとも一つの第二反射素子２３４（本実施例では複数の第二反射素子２３４とする）及び複数の凹部２３６を含む。第一光束射出口２３０’と第二光束射出口２３０”は光束入射面２４２に位置し、第一光束射出口２３０’と第二光束射出口２３０”は近接して交互に配列され、各第一光束射出口２３０’と第二光束射出口２３０”の接する所に第一反射素子２３２を設け、第二光束射出口２３０”に対応して第二反射素子２３４を設け、第二反射素子が複数の凹部の間に位置するようにする。
【００１４】
図２及び図５を参照すると、各凹部２３６はそれぞれ各第一光束射出口２３０’に対応して設けられ、点光源２１０は凹部２３６の中に配置される。照明光束Ｌ１０が第一光束射出口２３０’を通過する場合、第一反射素子２３２によって第一部分光束Ｌ１２及び第二部分光束Ｌ１４に分けられ、その内第一部分光束Ｌ１２は第一光束射出口２３０’から射出され、光束入射面２４２から導光板２４０に入射する。第二部分光束Ｌ１４は第一反射素子２３２によって反射された後、第二反射素子２３４により再度反射され、第二光束射出口２３０”から射出され、光束入射面２４２から導光板２４０に入射する。第一部分光束Ｌ１２及び第二部分光束Ｌ１４は、導光板２４０を経由して光束射出面２４４から射出され、面光源を形成する。
【００１５】
反射構造２３０は、各点光源２１０の間に第二反射素子２３４を設けているため、第一部分光束Ｌ１２は第一光束射出口２３０’から射出され、第二部分光束Ｌ１４は第一反射素子２３２及び第二反射素子２３４により反射され、第二光束射出口２３０”から射出される。これによって、第一光束射出口２３０’の輝度を低減し、第二光束射出口２３０”の輝度を高める。言い換えれば、明縞と暗縞の現象を減らし、導光板２４０に入射する照明光束Ｌ１０の均一性を高めて、エッジ型バックライトモジュール２００の照明品質を高める。
【００１６】
本実施例において、各第一反射素子２３２は第一反射平面２３２a及び第二反射平面２３２ｂを有し、第一反射平面２３２aは第一光束射出口２３０’を向き、第二反射平面２３２ｂは第二光束射出口２３０”を向く。第一反射素子２３２は三角形であり、第一反射平面２３２aと第二反射平面２３２ｂが接する夾角
（外１）
0004891971.tif 000002
は０度より大きく、６０度以下である。第二反射素子２３４は第三反射平面２３４a及び第四反射平面２３４ｂを有する。第二反射素子２３４も三角形であり、第三反射平面２３４a及び第四反射平面２３４ｂが接する夾角
（外２）
0004891971.tif 000003
の範囲は３０〜１２０度である。各反射面は第一反射素子２３２及び第二反射素子２３４に高反射率を有する塗料を塗布して形成され、又は高屈折率を有する材料で第一反射素子２３２及び第二反射素子２３４を製造する。
【００１７】
尚、第一反射素子及び第二反射素子は他の形状で実施されてもよい。図６乃至図８は本発明の他の実施例による反射構造の断面図である。ここで、図６乃至図８の実施例は図５の実施例の一部と類似し、図６乃至図８の実施例と図５の実施例において、同様の又は類似する要素の符号はその同様の又は類似する要素を表す。以下は各実施例の相違点について詳細に説明し、同様の部分については説明を省略する。
【００１８】
図６を参照すると、本実施例において、反射構造２３０aの第一反射素子２３２’は二等辺三角形である。図７を参照すると、本実施例において、反射構造２３０ｂの第一反射素子２３２”は第一反射曲面２３２a”を有する。図８を参照すると、本実施例において、反射構造２３０ｃの第二反射素子２３４’は第二反射曲面２３４a’を有する。
【００１９】
上述の各実施例は全て複数の第二光束射出口を有する例を説明したが、本発明はこれに限定されない。例えば、反射構造は二つの第一光束射出口の間に位置するただ一つの第二光束射出口を有してもよい。
【００２０】
図９は本発明の他の実施例によるエッジ型バックライトモジュールを示す図である。尚、本実施例は図２の実施例と一部類似し、本実施例と図２の実施例において、同様又は類似素子の符号は同様又は類似素子を代表する。以下は二つの実施例の相違点について詳細に説明し、同様な部分については説明を省略する。
【００２１】
図９を参照すると、本実施例において、エッジ型バックライトモジュール２００aは反射板２５０をさらに有し、導光板２４０は反射面２４６をさらに有し、反射面２４６は光束入射面２４２と近接しながら光束射出面２４４と向かい合う。反射板２５０は導光板２４０の反射面に配置され、照明光束Ｌ１０の使用効率を高める。
【００２２】
以上のように、本発明の上述の実施例において、反射構造は各点光源の間に第二反射素子を設けているため、一部照明光束は第一反射素子及び第二反射素子に反射されて第二光束射出口から射出される。これによって、点光源間の暗縞と光源の所に相対する暗縞を減らし、導光板上の暗部（dark space）を低減し、光束が点光源から導光板に射出される際の漏光を避け、導光板に入射される照明光束の均一性を高めて、エッジ型バックライトモジュールの照明品質を高める。
【００２３】
本発明は上記の最適実施例によって開示されるが、これらの内容に限定されず、本発明の精神及び範囲内で、当業者によって何れの変更及び修飾が可能であるため、本発明の保護範囲は特許請求の範囲を基準とする。一方、本発明の実施例又は請求項の範囲は何れも本発明により開示された目的又は利点又は特徴の全てを必ずしも実現する必要はない。また、要約部分と発明の名称は単に特許文献のサーチ作業を補助するためのものであり、本発明の権利範囲を限定するものではない。
【図面の簡単な説明】
【００２４】
【図１】従来のエッジ型バックライトモジュールの断面図である。
【図２】本発明の実施例によるエッジ型バックライトモジュールの断面図である。
【図３】図２に示された反射構造の斜視図である。
【図４】図２に示された反射構造を他の角度から見た斜視図である。
【図５】図２に示された反射構造の断面図である。
【図６】本発明の他の実施例による反射構造の断面図である。
【図７】本発明の他の実施例による反射構造の断面図である。
【図８】本発明の他の実施例による反射構造の断面図である。
【図９】本発明の他の実施例によるエッジ型バックライトモジュールを示す図である。
【符号の説明】
【００２５】
Ｌ１０、  照明光束
Ｌ１２、  第一部分光束
Ｌ１４、  第二部分光束
（外３）
0004891971.tif 000004
夾角
１００、  エッジ型バックライトモジュール
１１０、  発光ダイオード
１２０、  ライトカバー
１３０、  導光板
１３２、  光束入射面
１３４、  光束射出面
２００、  エッジ型バックライトモジュール
２１０、  点光源
２２０、  ライトカバー
２２２、  開口
２３０、２３０a、２３０ｂ、２３０ｃ、  反射構造
２３０’、  第一光束射出口
２３０”、  第二光束射出口
２３２、２３２’、２３２”、  第一反射素子
２３２a、  第一反射平面
２３２a”、  第一反射曲面
２３２ｂ、  第二反射平面
２３４、２３４’、  第二反射素子
２３４a、  第三反射平面
２３４ｂ、  第四反射平面
２３４a’、  第二反射曲面
２３６、  凹部
２４０、  導光板
２４２、  光束入射面
２４４、  光束射出面
２４６、  反射面
２５０、  反射板
【図１】
0004891971.tif 000005
【図２】
0004891971.tif 000006
【図３】
0004891971.tif 000007
【図４】
0004891971.tif 000008
【図５】
0004891971.tif 000009
【図６】
0004891971.tif 000010
【図７】
0004891971.tif 000011
【図８】
0004891971.tif 000012
【図９】
0004891971.tif 000013